(57)【特許請求の範囲】
【請求項１】
方形の取付角枠の中央にオリフィスを有し、このオリフィス内で羽根車を前記取付角枠の対角線に沿って背後側に延出する四本の取付脚によって支持されたモーターによって回転させるように構成した質量の大きな有圧換気扇を、上面の開放した段ボールよりなる下箱の底面上に設けた段ボールよりなる底ホルダー上に、そのモーターを下にして載置し、周側を段ボールよりなる側面ホルダーで包み、前記取付角枠の上に下面の開放した段ボールよりなる上箱を被せて全体を結束した換気扇包装装置であって、前記底ホルダーは、前記下箱の四つの入隅部に嵌合する嵌合部を有し、この嵌合部の両側に前記各取付脚を囲む立上りを設け、この立上りには、前記取付角枠の背面に当たり同取付角枠を支持する支持部を設け、この立上りの立上り形状を保持し、前記下箱の四隅部に嵌まり縦方向の支持をする略直角三角筒状の段ボールよりなる支柱を前記立上りの外側に嵌め込んだ換気扇包装装置。
【請求項２】
請求項１に記載の換気扇包装装置であって、下箱の外底面に三本の段ボール材よりなる桁を設け、その桁の中央のものの上に有圧換気扇のモーターが位置するようにした換気扇包装装置。
【請求項３】
請求項１又は請求項２のいずれかに記載の換気扇包装装置であって、底ホルダーを下箱の対角線と４５度ずれた線上において線対称になるよう二分割した換気扇包装装置。
【請求項４】
請求項１〜請求項３までのいずれかに記載の換気扇包装装置であって、二本の取付脚を受ける受仕切を底ホルダーの隣接する二つの立上りを跨いで下箱の底面に垂直となる方向に嵌め装着した換気扇包装装置。
【請求項５】
請求項１〜請求項４までのいずれかに記載の換気扇包装装置であって、略直角三角筒状の支柱は、前記立上りに嵌め込む面を重畳構造にした換気扇包装装置。
【請求項６】
請求項１〜請求項５までのいずれかに記載の換気扇包装装置であって、略直角三角筒状の支柱は、略直角をなす面を、直角より少し小さい角度をなすように構成した換気扇包装装置。
【発明の詳細な説明】
【技術分野】
【０００１】
本発明は、方形の取付角枠の中央にオリフィスを有し、このオリフィス内で羽根車を取付角枠の対角線に沿って背後側に延出する四本の取付脚によって支持されたモーターによって回転させるように構成した１００ｋｇ内外といった質量の大きな有圧換気扇を包装する換気扇包装装置に関するものである。
【背景技術】
【０００２】
１００ｋｇ内外といった質量の大きな有圧換気扇を包装する包装装置としては、ＪＩＳ，Ｚ−１４０２のような梱包用木箱が使われている。この種の梱包用木箱は、天面を構成する天板と、底面を構成する底板および側二面を形成する側板と妻二面を構成する妻板並びにそれらにそれぞれ組合わされた桟とで構成されている。なお、この種の従来技術としては、特許文献１に開示されているものがある。
【０００３】
【特許文献１】実開平１−１４４３２０号公報
【発明の開示】
【発明が解決しようとする課題】
【０００４】
従来使われてきた梱包用木箱は、封緘金具やその他の止金具が使われているため解梱した後は、リサイクルされることもなく廃材として処理されている。リサイクルが利く段ボールで包装装置を作ろうにもこの種の有圧換気扇は質量が大き過ぎ、包装強度が保持できず断念されてきた経緯がある。また、組立ラインで組立てられた有圧換気扇を反転したりせずに質量の大きいモーターを下にしたまま包装できることも課題である。
【０００５】
本発明は、上記した課題を解決するためになされたものであり、その目的とするところは、質量の大きな有圧換気扇を反転させたりすることなく包装できる、全て段ボールで構成した包装強度の高い換気扇包装装置を得ることである。そして、その解梱性の向上、包装組立性の向上を推進することも目的としている。
【課題を解決するための手段】
【０００６】
上記課題を解決するために本発明は、方形の取付角枠の中央にオリフィスを有し、オリフィス内で羽根車を取付角枠の対角線に沿って背後側に延出する四本の取付脚によって支持されたモーターによって回転させるように構成した質量の大きな有圧換気扇を、上面の開放した段ボールよりなる下箱の底面上に設けた段ボールよりなる底ホルダー上に、モーターを下にして載置し、周側を段ボールよりなる側面ホルダーで包み、取付角枠の上に下面の開放した段ボールよりなる上箱を被せて全体を結束する換気扇包装装置について、その底ホルダーを、下箱の四つの入隅部に嵌合する嵌合部を有し、嵌合部の両側に各取付脚を囲む立上りを有する構成とし、底ホルダーの立上りには、取付角枠の背面に当たり、取付角枠を支持する支持部を設け、この立上りの立上り形状を保持し、下箱の四隅部に嵌まり縦方向の支持をする略直角三角筒状の段ボールよりなる支柱を立上りの外側に嵌め込む手段を採用する。
【発明の効果】
【０００７】
本発明によれば、有圧換気扇の質量を下箱とともに受け支える底ホルダーを、下箱の四つの入隅部に嵌合する嵌合部を持つ構造としたため、下箱を対角線上で底ホルダーが支保することになり、しかも嵌合部の両側には各取付脚を囲む立上りを有するため、有圧換気扇の拘束性が確りし、質量の大きな有圧換気扇でも安定状態に包装できる。そして、底ホルダーの立上りは、取付角枠の背面に当たり取付角枠を支持する支持部があり、さらに立上りの立上り形状を保持する段ボールよりなり、下箱の四隅部に嵌まり縦方向の支持をする略直角三角筒状の支柱を嵌め込んでいるので、包装強度、特に圧縮荷重に対しては段ボールであっても確り保持でき、解梱性の向上、包装組立性の向上も推進することができる。
【発明を実施するための最良の形態】
【０００８】
本発明の換気扇包装装置は、方形の取付角枠の中央にオリフィスを有し、オリフィス内で羽根車を取付角枠の対角線に沿って背後側に延出する四本の取付脚によって支持されたモーターによって回転させるように構成した質量の大きな有圧換気扇を包装するものである。包装材料は結束バンドを除き全てリサイクルの利く段ボールである。基本的には、上面の開放した下箱と、下箱の底面上に設けた底ホルダーと、周側を包む側面ホルダーと、上部に被せる上箱とで構成されている。底ホルダーは、下箱の四つの入隅部に嵌合する嵌合部を放射状に有し、嵌合部の両側には四本の取付脚を囲む立上りを有する構成となっている。底ホルダーの立上りは、取付角枠の背面に当たり取付角枠を支持する支持部が設けられ、立上りの立上り形状を保持する段ボールよりなる略直角三角筒状の支柱が四個嵌め込まれている。
【０００９】
組立ラインで質量の大きなモーターを下にして組立てられた有圧換気扇は、そのままの姿勢で、底ホルダーを設けた下箱に設置される。底ホルダーは、下箱の四つの入隅部に嵌合する嵌合部を放射状に有し、嵌合部の両側には四本の取付脚を囲む立上りを有する構成となっており、有圧換気扇は、強度の高い構造の取付脚によって包装位置が確り拘束される。底ホルダーの立上りは、取付角枠の背面に当たり取付角枠を支持する支持部が設けられているので、有圧換気扇は取付角枠において四隅部で下箱上に受け支えられる。立上りの立上り形状は、これを保持する支柱が立上りの外側に嵌め込まれ安定している。この状態の有圧換気扇の周側を四個の側面ホルダーで囲い、取付角枠の上部に上箱を被せ、下箱と上箱を結束バンドを周回させて結束することにより、包装の組立が完了する。有圧換気扇の質量を下箱とともに受け支える底ホルダーを、下箱の四つの入隅部に嵌合する嵌合部を持つ構造としてあるため、下箱を対角線上で底ホルダーが支保することになり、しかも嵌合部の両側には各取付脚を囲む立上りを有するため、有圧換気扇の拘束性が確りし、質量の大きな有圧換気扇でも安定状態に包装できる。そして、底ホルダーの立上りは、取付角枠の背面に当たる支持部があり、立上りの立上り形状を保持する段ボールよりなる略直角三角筒状の支柱が四個嵌め込まれているので、包装強度、圧縮強度が段ボールでできていてもしっかりしている。支柱は支持部とともに取付角枠を受け支えるので包装強度は優れ、解梱性の向上、包装組立性の向上も推進することができる。勿論、構成要素が段ボールであるためリサイクルが利き、梱包木箱のように廃材となるようなことがなく、包装材料も少なくなっているため環境負荷の少ない換気扇包装装置となる。
【００１０】
実施の形態１．
図によって示す本実施の形態は、１００ｋｇ前後といった質量の大きな有圧換気扇を包装する換気扇包装装置に関するものである。図１は有圧換気扇の平面図、図２は有圧換気扇の側面図、図３は包装装置の分解斜視図、図４は包装装置の断面図、図５は下箱の側面図、図６は底ホルダーの一要素の展開図、図７は底ホルダーの組立図、図８は補強部材を外して示す底ホルダーの展開図、図９は補強部材の展開図、図１０は補強部材の斜視図、図１１は支柱の展開図、図１２は支柱の斜視図、図１３は支柱と底ホルダーの組付状態を示す斜視図、図１４はモーター受パットの展開図、図１５はモーター受パットの斜視図、図１６は受仕切の展開図、図１７は受仕切の斜視図、図１８は前後の側面ホルダーの斜視図、図１９は左右の側面ホルダーの斜視図、図２０は保護パットの斜視図である。
【００１１】
包装対象の有圧換気扇１は、図１や図２に示すように方形の取付角枠２の中央にオリフィス３を有し、オリフィス３内で羽根車４を取付角枠２の対角線に沿って背後側に延出する四本の取付脚５によって支持されたモーター６によって回転させるように構成されている。これを包装する換気扇包装装置の包装材料は結束バンド７を除き全てリサイクルの利く段ボールであり、基本構成は、図３に示すように上面の開放した下箱８と、下箱８の底面上に設けた底ホルダー９と、前後左右の周側を包む四個の側面ホルダー１０，１１と、上部に被せる上箱１２とからなる。
【００１２】
下箱８の外底面には奥行き一杯に段ボール積層材よりなる三本の桁１３が設けられ、その桁１３の中央のものの上に有圧換気扇１の質量の大きなモーター６が位置するようにしている（図４，５参照）。底ホルダー９は、下箱８の四つの入隅部に内嵌合する放射状の嵌合部１４を備えている。各嵌合部１４の先端は、下箱８のコーナ部に嵌まる直角の矢形に形成されている。底ホルダー９は、平面積が大きくそのままでは扱いにくく包装組立し難いので、下箱８の対角線と４５度ずれた線上において線対称になるよう二分割に構成されている（図６〜図８参照）。各嵌合部１４の両側には四本の取付脚５を囲む立上り１５を有する構成となっている。
【００１３】
立上り１５は、図９，図１０に示す二つ折りにされた補強部材１６が接着され、各立上り１５は三重の重畳構造となっている。補強部材１６の外側部分は、取付角枠２の角部背面に当たり取付角枠２を支える支持部１７として他の部分より上側に突出していて、支持部１７とそれより内側に一本ずつ切込み１８が設けられている。内側の切込み１８には、立上り１５の立上り形状を保持する段ボールよりなる二重構造の受仕切１９が二つの嵌合部１４の立上り１５を跨いで一対、立上り１５に直角に嵌め込まれている。この受仕切１９には取付脚５の嵌まる切欠き２０が二つずつ嵌め込み側の反対側に形成され、この切欠き２０の下部には補強材２１が接着されている（図１６，図１７参照）。支持部１７の外側の切込み１８には、図１１，図１２並びに図１３に示す略直角三角筒状の支柱２２がそれぞれ一つずつ合計で四個が嵌め込まれている。支柱２２の嵌め込み用の切込み２３が設けられた直面は二重の重畳構造とされ、この面で接着され略直角三角筒状に構成されている。支柱２２の略直角をなす稜角部の上端はＶ字の切欠き２４が形成され、有圧換気扇１を挿入し易くしている。また、支柱２２は直角より少し小さい角度の略直角三角筒とされ、下箱８に対する位置決めの余裕ができ、包装時の有圧換気扇１に対する位置決めがし易くなっている。内側の切込み１８には受仕切１９が立上り１５に直角に嵌め合わされ、立上りの形状を支柱２２，受仕切１９によって確り保持している。二つの嵌合部１４の合わさる結合部には、折曲げにより二重構造となる有圧換気扇１のモーター６に当たるモーター受パット２５がそれぞれ設けられている（図１４，図１５参照）。周側を包む四個の側面ホルダー１０，１１は、図１８，図１９に示すようにコ状に形成され、下箱８と上部に被せる上箱１２の側面に上下縁が挿入される。上箱１２と取付角枠２との間には積層材の保護パット２６が両脇と中央に設けられている。
【００１４】
組立ラインで質量の大きなモーター６を下にして組立てられた有圧換気扇１は、そのままの姿勢で、底ホルダー９を設けた下箱８に設置される。底ホルダー９には重畳構造の受仕切１９と外側に支柱２２が嵌め込まれ、底ホルダー９の形状の安定性は換気扇質量が大きくてもしっかり保持されている。内側の受仕切１９は、四本の取付脚５を受け支え、モーター受パット２５でモーター６が受け支えられている。底ホルダー９は、下箱８の四つの入隅部に嵌合する嵌合部１４を放射状に有し、嵌合部１４の両側には四本の取付脚５を囲む立上り１５を有する構成となっており、有圧換気扇１は、強度の高い構造の取付脚５によって包装位置が確り拘束される。底ホルダー９の立上り１５は、取付角枠２の背面に当たり取付角枠２を支持する支持部１７が設けられているので、有圧換気扇１は取付角枠２において四隅部で下箱８上に受け支えられる。
【００１５】
立上り１５の立上り形状は、これを保持する受仕切１９と支柱２２が立上り１５に嵌め込まれ安定している。この状態の有圧換気扇１の周側を四個の側面ホルダー１０，１１で囲い、取付角枠２の上部に保護パット２６を入れて上箱１２を被せ、下箱８と上箱１２を結束バンド７を周回させて結束することにより、包装の組立が完了する。有圧換気扇１の質量を下箱８とともに受け支える底ホルダー９を、下箱８の四つの入隅部に嵌合する嵌合部１４を持つ構造としてあり、しかも立上り１５の外側には、下箱８の四隅部に嵌まり縦方向の支持をする略直角三角筒状の支柱２２を嵌め込んでいるので、包装強度、特に圧縮荷重に対しては段ボールであっても確り確保できる。下箱８と上箱１２の間は支柱２２により支保され、しかも嵌合部１４の両側には各取付脚５を囲む立上り１５を有するため、有圧換気扇１の拘束性がよく、包装体としての安定性は高い。そして、底ホルダー９の立上り１５は、取付角枠２の背面に当たる支持部１７があり、立上り１５の立上り形状を保持する段ボールよりなる受仕切１９が嵌め込まれているので、包装強度は段ボールであってもしっかり保持でき、解梱性の向上、包装組立性の向上を推進することができる。受仕切１９が底ホルダー９の隣接する四つの立上り１５を跨いで一対、下箱８の底面に垂直となる方向に嵌め装着されていることと、四個の支柱２２が立っていることにより圧縮強度はすこぶる高い。勿論、構成要素が段ボールであるためリサイクルが利き、梱包木箱のように廃材となるようなことがなく、包装材料も少なくなっているため環境負荷の少ない換気扇包装装置となる。荷扱いは下箱８の桁１３間に荷役機器のフォーク等を入れて行えばよく、中央の桁１３で質量の大きなモーター６が受け支えられているので荷崩れを起すようなこともない。質量の比較的小さい有圧換気扇では各部に必ずしも重畳構造を採らなくても包装強度は保持できる。
【図面の簡単な説明】
【００１６】
【図１】有圧換気扇の平面図である。（実施の形態１）
【図２】有圧換気扇の側面図である。（実施の形態１）
【図３】包装装置の分解斜視図である。（実施の形態１）
【図４】包装装置の断面図である。（実施の形態１）
【図５】下箱の側面図である。（実施の形態１）
【図６】底ホルダーの一要素の展開図である。（実施の形態１）
【図７】底ホルダーの組立図である。（実施の形態１）
【図８】補強部材を外して示す底ホルダーの展開図である。（実施の形態１）
【図９】補強部材の展開図である。（実施の形態１）
【図１０】補強部材の斜視図である。（実施の形態１）
【図１１】支柱の展開図である。（実施の形態１）
【図１２】支柱の斜視図である。（実施の形態１）
【図１３】支柱と底ホルダーの組付状態を示す斜視図である。（実施の形態１）
【図１４】モーター受パットの展開図である。（実施の形態１）
【図１５】モーター受パットの斜視図である。（実施の形態１）
【図１６】受仕切の展開図である。（実施の形態１）
【図１７】受仕切の斜視図である。（実施の形態１）
【図１８】前後の側面ホルダーの斜視図である。（実施の形態１）
【図１９】左右の側面ホルダーの斜視図である。（実施の形態１）
【図２０】保護パットの斜視図である。（実施の形態１）
【符号の説明】
【００１７】
１  有圧換気扇、  ２  取付角枠、  ３  オリフィス、  ４  羽根車、  ５  取付脚、  ６  モーター、  ８  下箱、  ９  底ホルダー、  １０  側面ホルダー、  １１  側面ホルダー、  １２  上箱、  １３  桁、  １４  嵌合部、  １５  立上り、  １６  補強部材、  １７  支持部、  １９  受仕切、  ２２  支柱、  ２５  モーター受パット。
【図１】
0004468254.tif 000002
【図２】
0004468254.tif 000003
【図３】
0004468254.tif 000004
【図４】
0004468254.tif 000005
【図５】
0004468254.tif 000006
【図６】
0004468254.tif 000007
【図７】
0004468254.tif 000008
【図８】
0004468254.tif 000009
【図９】
0004468254.tif 000010
【図１０】
0004468254.tif 000011
【図１１】
0004468254.tif 000012
【図１２】
0004468254.tif 000013
【図１３】
0004468254.tif 000014
【図１４】
0004468254.tif 000015
【図１５】
0004468254.tif 000016
【図１６】
0004468254.tif 000017
【図１７】
0004468254.tif 000018
【図１８】
0004468254.tif 000019
【図１９】
0004468254.tif 000020
【図２０】
0004468254.tif 000021